(57)【要約】【課題】組立作業姓が良好で、かつ風切り音の発生も防止できる車両のドアハンドル装置の提供を目的とする。【解決手段】ハンドルベース１に回転自在に連結されて車両のドアＤに装着される操作ハンドル２と、  合成樹脂材を射出成形して形成され、肉盗み部３の開口をカバー部材４により閉塞してドアＤ表面に配置されるエスカッション部５に取付突部６を突設した飾り座金部材７とを有し、  前記飾り座金部材７は、前記取付突部６に成形後インサート成形されるナット８にねじ込まれる止着子９によりハンドルベース１に固定されるとともに、  前記カバー部材４は、エスカッション部５の肉盗み部３とナット８の下孔１０とを連通する連通路１１を挿通する取付片１２をナット８のインサート時に共締めさせて固定される。【選択図】  図７
2010168868.tif 000002
【特許請求の範囲】
【請求項１】
ハンドルベースに回転自在に連結されて車両のドアに装着される操作ハンドルと、
合成樹脂材を射出成形して形成され、肉盗み部の開口をカバー部材により閉塞してドアＤ表面に配置されるエスカッション部に取付突部を突設した飾り座金部材とを有し、
前記飾り座金部材は、前記取付突部に成形後インサート成形されるナットにねじ込まれる止着子によりハンドルベースに固定されるとともに、
前記カバー部材は、エスカッション部の肉盗み部とナットの下孔とを連通する連通路を挿通する取付片をナットのインサート時に共締めさせて固定される車両のドアハンドル装置。
【請求項２】
前記カバー部材には、肉盗み部に装着した際に飾り座金部材の被係止部に係止してナットのインサート操作時の脱離を規制する係止部が設けられる請求項１記載の車両のドアハンドル装置。
【請求項３】
前記操作ハンドルは、一端部を回転中心として回転操作可能にハンドルベースに連結されるとともに、回転端部にドア内に挿入される作動脚を有するグリップ式操作ハンドルとして形成され、
かつ、前記飾り座金部材は、エスカッション部を操作ハンドルの回転端に隣接して配置される請求項１または２記載の車両のドアハンドル装置。
【請求項４】
前記ハンドルベースはドアパネルの裏面に添わせて配置されるとともに、飾り座金部材の取付突部は、ハンドルベースに開設された座金装着開口に嵌合してドア内において座金装着開口の側壁に前記止着子を使用して連結され、
かつ、ハンドルベースへの連結状態においてエスカッション部は、ハンドルベースと協働してドアパネルを挟み付けてハンドルベースをドアパネルに固定する請求項３記載の車両のドアハンドル装置。
【発明の詳細な説明】
【技術分野】
【０００１】
本発明は車両のドアハンドル装置に関するものである。
【背景技術】
【０００２】
ドアパネル表面に配置される操作ハンドルの回転端に飾り座金部材を配置したドアハンドル装置としては、特許文献１に記載のものが知られている。この従来例において、ハンドル装置は、ドアパネル裏面に添わせて配置されるハンドルベースに操作ハンドルを回転操作自在に連結して形成され、ハンドルベースの固定は、操作ハンドルの回転ヒンジ側端部と、操作ハンドルの回転端側端部において行われる。
【０００３】
飾り座金部材がドアパネルから脱落すると、操作ハンドルの作動部をドア内に導くためにドアパネルに開設された開口が外部に露出してしまうために、飾り座金部材は、ハンドルベースに止着子を利用して強固に固定される外部取付部材の表面を外部カバーにより覆って形成される。
【０００４】
しかし、上述した従来例における飾り座金部材は、外部取付部材と外部カバーにより構成されるために、部品手数が多くなる上に、組立作業姓も悪くなるという欠点がある。
【０００５】
この問題は、外部取付部材に外部カバーの形状を形成し、一体化することにより解消することができるが、この場合、以下の問題が発生する。すなわち、製造コスト、軽量化に対する配慮により飾り座金部材を合成樹脂材の射出成型品とする場合、ひけ等の表面欠陥を防止するために、均等肉厚化を要し、結果、適当な肉盗みの設定が必要となる。
【０００６】
しかし、外装部品である飾り座金部材に肉盗みを設定し、開口を外部に露出させた状態は、外観上の問題ばかりでなく、車両走行時の笛鳴り現象の原因ともなるという問題も発生する。
【先行技術文献】
【特許文献】
【０００７】
【特許文献１】特開２００７-９２５１０号公報
【発明の概要】
【発明が解決しようとする課題】
【０００８】
本発明は、以上の欠点を解消すべくなされたものであって、組立作業姓が良好で、かつ風切り音の発生も防止できる車両のドアハンドル装置の提供を目的とする。
【課題を解決するための手段】
【０００９】
ハンドル装置は、ハンドルベース１に連結されて車両のドアＤに装着される操作ハンドル２と、合成樹脂材により形成される飾り座金部材７とを有して構成される。飾り座金部材７は、ドアＤへの装着状態においてドアＤ表面に露出するエスカッション部５と、エスカッション部５から突設される取付突部６とを有し、取付突部６をドアＤ内に挿入してハンドルベース１に連結することにより固定される。取付突部６には、連結操作のためにナット８が成形後インサートされる。
【００１０】
肉厚を全域にわたって均等にすることによりひけ等の表面欠陥の発生を防止するために、エスカッション部５には肉盗み部３が形成され、肉盗み部３の開口は、外部に露出することによる外観への影響、あるいは風切り音の発生を防止するために、カバー部材４により覆われる。
【００１１】
カバー部材４は、成形後インサートされるナット８とともに取付片１２が取付突部６に共締めされ、経時劣化による脱落が完全に防止される。成形後インサート処理は、圧入式インサート処理、あるいは熱圧入式インサート処理が可能であり、取付片１２をナット８とともにナット８の下孔１０に固定するために、肉盗み部３と下孔１０との間には、取付片１２が挿通可能な連通路１１が形成される。
【００１２】
したがってこの発明において、エスカッション部５と取付突部６とを一体に成形することができるために、装着作業が簡単になる上に、成形時のひけ等の不具合の発生を防止できる。また、肉盗み部３の開口をカバー部材４により覆ったので、外観等への悪影響、および笛鳴り現象等を防止することができ、さらに、カバー部材４の経時劣化等による脱落も完全に防止できる。
【００１３】
また、
前記カバー部材４には、肉盗み部３に装着した際に飾り座金部材７の被係止部１３に係止し、ナット８のインサート操作時の脱離を規制する係止部１４が設けられる車両のドアハンドル装置を構成した場合には、成形後インサート操作時にカバー部材４が脱落することがなくなるために、製造効率を高めることができる。
【００１４】
ハンドル装置は、操作ハンドル２の中央部を引くようにして操作するプルアップ、あるいはフラップタイプのハンドル装置として、さらには、操作ハンドル２の中央部を握って操作するグリップタイプのハンドル装置として構成することが可能であり、グリップタイプのハンドル装置として構成することができる。
【００１５】
ハンドル装置をグリップタイプとして構成し、さらに、外部への露出を防止するためにハンドルベース１をドアパネルＤの裏面に添わせて配置する場合、飾り座金部材７をハンドルベース１の固定部品として利用することができる。
【００１６】
この場合、ドアハンドル装置は、
前記ハンドルベース１はドアパネルＤの裏面に添わせて配置されるとともに、飾り座金部材７の取付突部６は、ハンドルベース１に開設された座金装着開口１６に嵌合してドアＤ内において座金装着開口１６の側壁に前記止着子９を使用して連結され、
かつ、ハンドルベース１への連結状態においてエスカッション部５は、ハンドルベース１と協働してドアパネルＤを挟み付けてハンドルベース１をドアパネルＤに固定するように構成される。
【発明の効果】
【００１７】
本発明によれば、組立作業姓が良好で、かつ風切り音の発生も防止することができる。
【図面の簡単な説明】
【００１８】
【図１】ドアハンドル装置を示す図で、（ａ）は正面図、（ｂ）は（ａ）の１Ｂ-１Ｂ線断面図である。
【図２】図１（ｂ）の２Ａ-２Ａ線断面図である。
【図３】飾り座金部材の装着状態を示す図で、（ａ）は装着前の状態を示す断面図、（ｂ）は装着後の断面図である。
【図４】ハンドル装置の分解斜視図である。
【図５】飾り座金部材の組み立て状態を示す図で、（ａ）は平面図、（ｂ）は側面図、（ｃ）は背面図である。
【図６】図５の断面図で、（ａ）は図５（ｃ）の６Ａ-６Ａ線断面図、（ｂ）は図５（ｃ）の６Ｂ-６Ｂ線断面図である。
【図７】飾り座金の断面図で、（ａ）は図５（ａ）の７Ａ-７Ａ線断面図、（ｂ）は連結完了状態の断面図である。
【発明を実施するための形態】
【００１９】
図１以下に示すように、ハンドル装置は、ハンドルベース１と、一端がハンドルベース１に回転自在に連結される操作ハンドル２と、操作ハンドル２の回転端近傍に配置される飾り座金部材７とを有し、図１において左側を車両先頭方向に向けた姿勢でドアＤに装着される。
【００２０】
操作ハンドル２は所謂グリップ式操作ハンドルとして構成され、操作ハンドル２の中間部を握ってハンドルベース１への連結端周りに回転操作を行うと、後端部（以下、本明細書において車両への取付姿勢を基準に「前後」を定義する。）に形成される作動脚１５が変位する。図２に示すように、ハンドルベース１には、作動脚１５に当接する入力部１７ａと、ドアＤ内に配置されるドアロック装置１８に一端が連結されるケーブル等の操作力伝達手段１９が接続される出力部１７ｂとを備えるレバー１７が枢軸１７ｃ回りに回転自在に連結されており、作動脚１５の変位は、上記操作力伝達手段１９を介してドアロック装置１８に伝達されて該ドアロック装置１８を作動させる。
【００２１】
図１（ｂ）に示すように、ドアパネルＤ表面への露出を防止するために、ハンドルベース１はドアパネルＤの裏面に添わせて配置され、上記操作ハンドル２の前端部に形成されてハンドルベース１との回転ヒンジ部を構成するヒンジ突部２ａは、ドアパネルＤに開設された前部開口２０ａ、およびこれに対応してハンドルベース１に開設されるヒンジ挿通開口１ａからドアＤ内に挿入される。前部開口２０ａの周縁には前部ガスケット２１が装着される。
【００２２】
また、ハンドルベース１には、図３に示すように、ドアパネルＤの後部開口２０ｂに対応する座金装着開口１６が開設され、操作ハンドル２の作動脚１５がドアＤ内に挿入される。座金装着開口１６は、作動脚１５の挿入スペースに比して後方に拡張されており、拡張部に飾り座金部材７が装着される。飾り座金部材７を固定するために、座金装着開口１６の後部壁面にはボルト（止着子９）が仮止めされる。
【００２３】
飾り座金部材７は、装着状態においてドアパネルＤ表面に露出するエスカッション部５から取付突部６を突出させて形成され、座金装着開口１６にドアパネルＤ表面側から挿入される取付突部６に形成される雌ねじ部に上記ボルト９を締結して固定される。
【００２４】
装着状態において飾り座金部材７の前端部は操作ハンドル２の作動脚１５に干渉して操作ハンドル２の後方への移動を規制するとともに、エスカッション部５の下端縁とハンドルベース１によりドアパネルＤの後部開口２０ｂ周縁を挟み付けることによりハンドルベース１をドアパネルＤに固定する。エスカッション部５とドアパネルＤとの間には、後部ガスケット２２が介装される。
【００２５】
図５以下に飾り座金部材７の詳細を示す。飾り座金部材７は合成樹脂材を射出成形して形成され、エスカッション部５表面へのひけ等の表面欠陥の発生を防止するために、エスカッション部５には肉厚を均等にするための肉盗み部３が設定される。上述したように、飾り座金部材７は操作ハンドル２の後方への移動を規制することができるように操作ハンドル２に隣接配置されることを利用して、肉盗み部３は操作ハンドル２に正対する正面部に凹設され、外観への影響が可及的に少なくなるように配慮される。
【００２６】
また、取付突部６には、上記ボルト９が締結される雌ねじを形成するためにナット８が固定される。ナット８は、成形時に形成された下孔１０にナット８を成形後インサートして固定される。ナット８のインサートは、加熱条件下でナット８を下孔１０に押し込み、ナット８周縁を溶融させながら圧入する熱圧入式によって行われる。
【００２７】
さらに、上記エスカッション部５の肉盗み部３の開口は、カバー部材４により閉塞される。カバー部材４は、合成樹脂製の射出成形品であり、上記開口を閉塞する閉塞ブロック部４ａから後方に取付片１２を突設して形成される。固定後のカバー部材４のがたつきを防止するために、図７に示すように、開口は先細り形状に形成されるとともに、閉塞ブロック部４ａは後方に行くに従って漸次高さ寸法が低くなる形状に形成され、さらに、閉塞ブロック部４ａの周壁には圧接突起４ｂが突設される。
【００２８】
また、肉盗み部３と上記ナット８の下孔１０とは連通路１１を介して連通しており、図７（ｂ）に示すように、閉塞ブロック４ａの肉盗み部３への挿入に伴って取付片１２は連通路１１を通って下孔１０に入り込む。一方、閉塞ブロック４ａの底壁部にはフック状の係止部１４が突設され、カバー部材４の肉盗み部３への挿入に伴って肉盗み部３の底壁に開設された矩形孔状の被係止部１３に弾発係止し、抜去が規制される。
【００２９】
この状態でナット８を熱圧入すると、取付片１２は下孔１０に熱溶着されるために、経時劣化等によるカバー部材４の脱落が完全に防止される。
【符号の説明】
【００３０】
１        ハンドルベース
２        操作ハンドル
３        肉盗み部
４        カバー部材
５        エスカッション部
６        取付突部
７        飾り座金部材
８        ナット
９        止着子
１０      下孔
１１      連通路
１２      取付片
１３      被係止部
１４      係止部
１５      作動脚
１６      座金装着開口
Ｄ        ドア
【図１】
2010168868.tif 000003
【図２】
2010168868.tif 000004
【図３】
2010168868.tif 000005
【図４】
2010168868.tif 000006
【図５】
2010168868.tif 000007
【図６】
2010168868.tif 000008
【図７】
2010168868.tif 000009